(57)【要約】【課題】  圧痕時のリブ塑性変形量を確保してシール性を向上させたギヤポンプおよびその製造方法を提供する。【解決手段】  駆動軸により軸支される駆動側歯車と、従動軸により軸支される従動側歯車と、駆動軸及び従動軸の軸方向両側方に設けられた一対の側板と、歯車の歯先をシールするとともに側板との衝合により第１油室を形成するシールブロックと、から構成されたポンプ組立体と、ポンプ組立体を収装し、第２油室を形成するケーシングと、側板上であって、駆動側および従動側歯車に対し平行に設けられたリブとを備え、リブは、側板の表面を駆動軸および従動軸方向に押圧することで形成されるとともに、駆動側および従動側歯車と平行な断面において台形であって、シールブロックによりリブを塑性変形させることにより、側板とシールブロックとのシール面を形成することとした。【選択図】      図１１
2008215328.tif 000002
【特許請求の範囲】
【請求項１】
駆動軸により軸支される駆動側歯車と、従動軸により軸支される従動側歯車と、前記駆動軸及び従動軸の軸方向両側方に設けられた一対の側板と、前記歯車の歯先をシールするとともに前記側板との衝合により第１油室を形成するシールブロックと、から構成されたポンプ組立体と、
前記ポンプ組立体を収装し、第２油室を形成するケーシングと、
前記側板上であって、前記駆動側および従動側歯車に対し平行に設けられたリブと
を備え、
前記リブは、前記側板の表面を前記駆動軸および従動軸方向に押圧することで形成されるとともに、前記駆動側および従動側歯車と平行な断面において台形であって、
前記シールブロックにより前記リブを塑性変形させることにより、前記側板と前記シールブロックとのシール面を形成すること
を特徴とするギヤポンプの製造方法。
【請求項２】
駆動軸により軸支される駆動側歯車と、従動軸により軸支される従動側歯車と、前記駆動軸及び従動軸の軸方向両側方に設けられた一対の側板と、前記歯車の歯先をシールするとともに前記側板との衝合により第１油室を形成するシールブロックと、から構成されたポンプ組立体と、
前記ポンプ組立体を収装し、第２油室を形成するケーシングと、
前記側板上であって、前記駆動軸および従動軸に対し平行に設けられたリブと
を備え、
前記リブは、前記側板の表面を前記駆動側および従動側歯車の回転方向に押圧することで形成されるとともに、前記駆動軸および従動軸と平行な断面において台形であって、
前記シールブロックにより前記リブを塑性変形させることにより、前記側板と前記シールブロックとのシール面を形成すること
を特徴とするギヤポンプの製造方法。
【請求項３】
駆動軸により軸支される駆動側歯車と、従動軸により軸支される従動側歯車と、前記駆動軸及び従動軸の軸方向両側方に設けられた一対の側板と、前記歯車の歯先をシールするとともに前記側板との衝合により第１油室を形成するシールブロックと、から構成されたポンプ組立体と、
前記ポンプ組立体を収装し、第２油室を形成するケーシングと、
前記側板上であって、前記駆動側および従動側歯車に対し平行に設けられたリブと
を備え、
前記リブは、前記側板の表面を前記駆動軸および従動軸方向に押圧することで形成されるとともに、前記駆動側および従動側歯車と平行な断面において台形であって、前記シールブロックにより押圧されて塑性変形すること
を特徴とするギヤポンプ。
【請求項４】
駆動軸により軸支される駆動側歯車と、従動軸により軸支される従動側歯車と、前記駆動軸及び従動軸の軸方向両側方に設けられた一対の側板と、前記歯車の歯先をシールするとともに前記側板との衝合により第１油室を形成するシールブロックと、から構成されたポンプ組立体と、
前記ポンプ組立体を収装し、第２油室を形成するケーシングと、
前記側板上であって、前記駆動軸および従動軸に対し平行に設けられたリブと
を備え、
前記リブは、前記側板の表面を前記駆動側および従動側歯車の回転方向に押圧することで形成されるとともに、前記駆動軸および従動軸と平行な断面において台形であって、前記シールブロックにより押圧されて塑性変形すること
を特徴とするギヤポンプ。
【発明の詳細な説明】
【技術分野】
【０００１】
本発明は、例えば車両用ブレーキ装置等の油圧源として好適に用いられるギヤポンプに関する。
【背景技術】
【０００２】
従来、ギヤポンプとして例えば特許文献１に記載の技術が開示されている。この公報に記載のギヤポンプは、本体ケース内に、駆動ギヤを軸支する駆動軸と、従動ギヤを軸支する従動軸と、一対の側板と、シールブロックから構成されたポンプ組立体を収装している。
【０００３】
また、この技術にあっては、側板またはシールブロックの一方または両方にリブを設け、このリブに圧力を加えて塑性変形させ、シールブロックシール面の痕をつける（リブ圧痕）させるとともに、シールブロック自体にリブの痕をつける（シールブロック圧痕）ことで、シール性を確保している。
【特許文献１】特開２００５−３３７２３８号公報
【発明の開示】
【発明が解決しようとする課題】
【０００４】
しかしながら上記従来技術にあっては、リブが側板表面から直角に立ち上がっているため、リブ根元とリブ先端とが同じ断面積を有することとなる。したがって圧痕時に潰されて塑性変形する面積も根元と先端で同じとなり、リブが潰れにくくなってシール性が悪化するおそれがあった。一方、潰れやすくするためリブ硬度を下げるとリブと一体の側板も硬度を下げなければならないが、側板はギヤと摺動するため摩耗量が大きくなるという問題がある。
【０００５】
本発明は上記問題点に着目してなされたもので、その目的とするところは、圧痕時のリブ塑性変形量を確保してシール性を向上させたギヤポンプおよびその製造方法を提供することにある。
【課題を解決するための手段】
【０００６】
上述の目的を達成するため、本願発明では、駆動軸により軸支される駆動側歯車と、従動軸により軸支される従動側歯車と、前記駆動軸及び従動軸の軸方向両側方に設けられた一対の側板と、前記歯車の歯先をシールするとともに前記側板との衝合により第１油室を形成するシールブロックと、から構成されたポンプ組立体と、前記ポンプ組立体を収装し、第２油室を形成するケーシングと、前記側板上であって、前記駆動側および従動側歯車に対し平行に設けられたリブとを備え、前記リブは、前記側板の表面を前記駆動軸および従動軸方向に押圧することで形成されるとともに、前記駆動側および従動側歯車と平行な断面において台形であって、前記シールブロックにより前記リブを塑性変形させることにより、前記側板と前記シールブロックとのシール面を形成することとした。
【０００７】
よって、圧痕時のリブ塑性変形量を確保してシール性を向上させたギヤポンプおよびその製造方法を提供することができる。
【発明を実施するための最良の形態】
【０００８】
以下、本発明のギヤポンプを実現する最良の形態を、図面に示す実施例に基づき説明する。
【実施例１】
【０００９】
図１はギヤポンプ１のｚ軸正方向正面図、図２はｘ軸正方向側面図、図３は図１のＩ−Ｉ断面図である。図１、図２ではポンプハウジング１０およびハウジングカバー２０のみ断面で示す。
【００１０】
なお、ポンプ組立体１００において従動軸１２０から駆動軸１１０へ向かう方向をｘ軸正方向、ｘ軸と直交しポンプ組立体１００のシールブロック２００方向をｙ軸正方向、駆動軸１１０と同軸であってポンプ組立体１００に対し図外のモータへ接続する方向をｚ軸正方向と定義する。また、図４はポンプ組立体１００の斜視図、図５、図６はそれぞれｙ軸正方向正面図、ｘ軸正方向正面図である。
【００１１】
［ハウジング]
ポンプハウジング１０には駆動軸支持孔１１およびシリンダ孔１２が設けられ、ポンプ組立体１００は円筒状のシリンダ孔１２に収装される。駆動軸１１０は駆動軸支持孔１１により回転可能に支持される。
【００１２】
シリンダ孔１２の内周面は、位置決め用の当接面１２ａと内壁１２ｂとを有する。当接面１２ａは、シールブロック２００と当接してポンプ組立体１００の位置決めを行うため、内壁１２ｂよりも高精度に形成されている。また、ポンプハウジング１０のｘ軸正方向側には吐出ポート１３が設けられ、シリンダ孔１２と外部とを連通している。
【００１３】
ポンプハウジング１０のｘ軸負方向側にはハウジングカバー２０が取り付けられ、シリンダ孔１２及びハウジングカバー２０によりポンプ組立体１００を液密に収装する。また、ハウジングカバー２０の軸方向にはｚ軸方向貫通孔である吸入ポート２１が設けられ、ポンプ組立体１００に作動油を供給する。
【００１４】
[ポンプ組立体の詳細]
ポンプ組立体１００は、シールブロック２００、駆動軸１１０、従動軸１２０、駆動側及び従動側ギヤ１３０，１４０（駆動側歯車および従動側歯車）、および第１、第２サイドプレート１５０，１６０（一対の側板）を有する。このポンプ組立体１００は山型の板ばね３００により仮止めされている。また、シールブロック２００は第１、第２サイドプレート１５０，１６０よりもｘ軸方向幅を小さく設けられている。
【００１５】
また、第１、第２サイドプレート１５０，１６０およびシールブロック２００は、径方向平面内（ｘ−ｙ平面内）において駆動軸１１０と従動軸１２０の中間線であるＩＩ−ＩＩ直線に対し対称である。さらに、板ばね３００もＩＩ−ＩＩ直線に対し対称であって、ＩＩ−ＩＩ直線に対し対称な付勢力を有する。駆動軸１１０と従動軸１２０の中間線であるため、ＩＩ−ＩＩ直線はｙ軸に平行である。
【００１６】
さらに、ポンプ組立体１００と板ばね３００とはｘ−ｙ平面内において点接触し、接点は、シールブロック２００のｙ軸正方向側の点Ａ、および第１、第２サイドプレート１５０，１６０のｙ軸負方向側面１５１，１６１であってｘ軸方向両端部１５２，１６２における点Ｂ，Ｃの３点である。
【００１７】
点ＡはＩＩ−ＩＩ直線上に位置し、このＩＩ−ＩＩ直線は駆動軸１１０と従動軸１２０の軸心Ｏｐ，Ｏｓの中点Ｍを通ってｙ軸に平行である。点Ｂ，Ｃはそれぞれｙ軸負方向側から軸心Ｏｐ，Ｏｓを通るＩＩＩ−ＩＩＩ直線よりもｙ軸負方向側に位置する（図１参照）。
【００１８】
以下、点接触と記載する場合はｘ−ｙ平面内において点接触することを示す。ｘ−ｙ−ｚ空間で考えた場合、ｘ−ｙ平面内における点接触はｚ軸方向の直線上での線接触となる。すなわち、板ばね３００は接点Ａを通りｚ軸に平行な直線内でシールブロック２００と線接触し、接点Ｂ，Ｃを通りｚ軸に平行な直線内で第１、第２サイドプレート１５０，１６０と線接触する。
【００１９】
したがって、ポンプ組立体１００は点Ａにおいてｙ軸正方向側を係止され、点Ｂ，Ｃにおいてｙ軸正方向側に付勢される。この点Ａ，Ｂ，Ｃの３点支持により、板ばね３００はシールブロック２００をｙ軸正方向側から第１、第２サイドプレート１５０，１６０に押し付け、ポンプ組立体１００の仮止めを行っている。
【００２０】
また、第１、第２サイドプレート１５０，１６０よりもシールブロック２００の方がｘ軸方向幅は小さいため、シールブロック２００のｙ軸正方向側を点Ａによる１点支持、第１、第２サイドプレート１５０，１６０のｙ軸負方向側を点Ｂ，Ｃによる２点支持とすることにより、シールブロック２００を安定的にｙ軸負方向側へ付勢するものである。
【００２１】
（駆動軸および従動軸）
駆動軸及び従動軸１１０，１２０はそれぞれ駆動側及び従動側ギヤ１３０，１４０と一体回転可能に設けられており、また駆動軸１１０はｚ軸正方向端部において図外のモータと接続する。駆動側及び従動側ギヤ１３０，１４０は互いに噛合う平歯車であり、この噛合いにより駆動軸１１０の回転に伴って従動軸１２０が回転するよう設けられている。なお、図２では従動側ギヤ１４０のみ図示するが、駆動側ギヤ１３０も同一形状の平歯車である。
【００２２】
（サイドプレート）
第１、第２サイドプレート１５０，１６０は略８の字型の同一形状部材であり、それぞれ駆動軸貫通孔１５３，１６３及び従動軸貫通孔１５４，１６４が設けられている。ｙ軸正方向面１５０ａ，１６０ａはｘ軸方向中央部においてｙ軸負方向に凹み、凹部１５０ｂ，１６０ｂを形成する。
【００２３】
この凹部１５０ｂ，１６０ｂとハウジングカバー２０の吸入ポート２１が連通することで作動油の供給が行われる。凹部１５０ｂ，１６０ｂのｘ軸正方向両側の曲面は駆動軸側駆動側シール面１５８ａ，１６８ａおよび従動側シール面１５８ｂ，１６８ｂ、となり、ｘ軸負方向側の曲面は従動軸側シール面１５８ｂ、１６８ｂとなってシールブロック２００とのシールを行う。
【００２４】
組み付け時には、ｚ軸正方向側の第１サイドプレート１５０とｚ軸負方向側の第２サイドプレート１６０により駆動側及び従動側ギヤ１３０，１４０を挟持し、駆動軸貫通孔１５３，１６３及び従動軸貫通孔１５４，１６４にそれぞれ駆動軸及び従動軸１１０，１２０を貫通させる。組み付け後には、各ギヤ１３０，１４０の歯先１３１，１４１は駆動側シール面１５８ａ，１６８ａおよび従動側シール面１５８ｂ，１６８ｂよりも外径側に位置する。
【００２５】
また、第１サイドプレート１５０のｚ軸正方向側面１５５及び第２サイドプレート１６０のｚ軸負方向側面１６５には、それぞれ第１、第２シールリング１７０，１８０が設けられている。この第１、第２シールリング１７０，１８０はそれぞれ駆動軸１１０及び従動軸１２０を囲繞し、また第１シールリング１７０はポンプハウジング１０と当接し、第２シールリング１８０はハウジングカバー２０と当接する。
【００２６】
これにより駆動及び従動軸１１０，１２０と第１、第２サイドプレート１５０，１６０との摺動面は各シールリング１７０，１８０の内側となって吸入側領域Ｄｉｎ（第１油室）を形成し、各シールリング１７０，１８０の外側すなわち吐出側領域Ｄｏｕｔ（第２油室）と液密にシールされる。
【００２７】
また、第１、第２サイドプレート１５０，１６０にはそれぞれ第１、第２段部１５６，１６６が設けられている。第１段部１５６はサイドプレート１５０のｘ軸方向両側面１５６のｚ軸正方向側を切り欠いて設けられる。同様に、第２段部１６６は第２サイドプレート１６０のｘ軸方向両側面１６６のｚ軸負方向側を切り欠いて設けられている。
【００２８】
第１、第２段部１５６，１６６によって、第１、第２サイドプレート１５０，１６０のｘ軸方向両側面１５７，１６７はｘ軸方向内側に切り欠かれる。したがってｘ−ｙ平面内においては、第１、第２段部１５６，１６６と、第１サイドプレート１５０のｚ軸正方向側面１５１および第２サイドプレート１６０のｚ軸負方向側面１６１とは、互いに異なる曲率を有することとなる。
【００２９】
また、各第１、第２段部１５６，１６６のｚ軸方向幅は、板ばね３００を形成する第１、第２金属板３０１，３０２のｚ軸方向幅よりも広く設けられる。
【００３０】
このように、第１、第２段部１５６，１６６と、第１サイドプレートｚ軸正方向側面１５１および第２サイドプレートｚ軸負方向側面１６１とを互いに異なる曲率とし、さらに第１、第２金属板３０１，３０２のｚ軸方向幅よりも広く設けることで、板ばね３００を装着した際に板ばね３００と第１、第２段部１５６，１６６が当接しないよう設けることとする。
【００３１】
したがって、板ばね３００は両端部３２１，３２２内側の点Ｂ，Ｃにおいてのみ第１、第２サイドプレート１５０，１６０と接し、シールブロック２００を係止する点Ａとともにポンプ組立体１００は３点支持される。第１、第２段部１５６，１６６によってｘ軸方向両側面１５７，１６７はｘ軸方向内側に切り欠かれているため、脚部３２０と第１、第２段部１５６，１６６との干渉を回避し、確実に３点支持を行うものである。
【００３２】
なお、第１、第２サイドプレート１５０，１６０の形状は、両端部３２１，３２２の付勢力が確実にｙ軸正方向成分を持ち、かつ脚部３２０とｘ軸方向両側面１５７，１６７との干渉を回避可能なものであればよく特に限定しない。すなわち、板ばね３００と点接触してｙ軸正方向の付勢力を得られる形状であればよい。
【００３３】
（シールブロック）
シールブロック２００はｙ軸正方向においてポンプハウジング１０内周の当接面１２と当接して位置決めされ、ｙ軸負方向側において第１、第２サイドプレート１５０，１６０に当接してシールを行う部材である。ｙ軸負方向側には略８の字型の第１、第２サイドプレート１５０，１６０の駆動側シール面１５８ａ，１６８ａおよび従動側シール面１５８ｂ，１６８ｂと同じ曲率の円弧面である駆動側、従動側シール面２１０，２２０が設けられ、駆動側シール面１５８ａ，１６８ａおよび従動側シール面１５８ｂ，１６８ｂと液密に当接する。
【００３４】
上述のように、ポンプ駆動時においては駆動側ギヤ１３０及び従動側ギヤ１４０の歯先１３１，１４１は第１、第２サイドプレート１５０，１６０の駆動側シール面１５８ａ，１６８ａおよび従動側シール面１５８ｂ，１６８ｂよりも外径側に位置する。
【００３５】
そのため、この駆動側、従動側シール面２１０，２２０には各ギヤ１３０，１４０の歯先１３１，１４１に沿って歯先１３１，１４１の当たりによりシール面２１０，２２０が削られ、歯当たり面２１１，２２が形成されることになる。これにより、シール面２１０，２２０と歯先１３１，１４１との接触を回避しつつ、クリアランスをほぼゼロとしてシール性を確保する。
【００３６】
また、歯当たり面２１１，２２１の間の領域は、ｚ軸方向全幅にわたってｙ軸正方向に凹んで凹部２３０を形成する。この凹部２３０は、第１、第２サイドプレート１５０，１６０の凹部１５０ｂ、１６０ｂとともに吸入ポート２１から駆動側、従動側ギヤ１３０，１４０の噛合い部に作動油を導く吸入側領域Ｄｉｎとして機能する。
【００３７】
一方、シールブロック２００のｙ軸正方向側面２４０は円弧状に形成され、ｚ軸正、負方向端面２０１，２０２には第３、第４段部２５１，２５２が設けられる。第３、第４段部２５１，２５２はｙ軸正方向に突出する凸形状を有し、ＩＩ−ＩＩ直線（駆動軸１１０と従動軸１２０の軸心Ｏｐ，Ｏｓの中点Ｍを通ってｙ軸に平行な直線）上に位置するｙ軸正方向端部２５３，２５４において、板ばね３００と当接する接点Ａを形成する。
【００３８】
また、第３、第４段部２５１，２５２によりシールブロック２００はｚ軸正方向側に突出する突出部２５０を形成することとなる。すなわち、板ばね３００の第１、第２金属板３０１，３０２は接点Ａにおいてシールブロック２００と当接する。これにより、板ばね３００はシールブロック２００の突出部２５０にはめ込まれて位置決めされるとともに、第３、第４段部２５１，２５２と当接してシールブロック２００のｙ軸正方向を係止する。
【００３９】
また、図２及び図３に示すように、第１サイドプレート１５０のｚ軸正方向側面１５５と第２サイドプレート１６０のｚ軸負方向側面１６５の距離は、シールブロック２００のｚ軸方向幅と同一となるよう設けられている。
【００４０】
したがって、各サイドプレート１５０，１６０に設けられる第１、第２シールリング１７０，１８０もシールブロック２００のｚ軸両端面と当接する。これにより、各サイドプレート１５０，１６０の駆動側シール面１５８ａ，１６８ａおよび従動側シール面１５８ｂ，１６８ｂと、シールブロック２００のシール面２１０，２２０は、ｚ軸両端面においても各シールリング１７０，１８０によりシールされることとなる。
【００４１】
（液圧差によるシールブロック押し付け）
ポンプ駆動時には、駆動側及び従動側ギヤ１３０，１４０の駆動によって吸入通路Ｄのｚ軸負方向側から作動油が吸入され、ｚ軸正方向側から吐出される。これによりポンプ組立体１００及びシールブロック２００の当接面以外の外周側は吐出側となって高圧に、当接面は吸入側となって低圧となるため、ポンプ駆動に伴ってｙ軸負方向への差圧が発生する。
【００４２】
この差圧によりポンプ組立体１００はｙ軸正方向、シールブロック２００はｙ軸負方向に付勢され、シールブロック２００をポンプ組立体１００に押し付けることにより、ポンプ組立体１００とシールブロック２００の当接面のシール性を向上させるものである。
【００４３】
[板ばねの詳細]
図７は板ばね３００単体の斜視図である。板ばね３００はポンプ組立体１００の仮止めを行う部材であって、形状および弾性力はｘ軸方向の中点Ａ'に対し対称である。板ばね３００を用いることで、コイルばねと異なり経時劣化による弾性力低下の影響を回避する。
【００４４】
この板ばね３００は、平行に設けられた２つの山型状金属板３０１，３０２を接続することにより形成される。また、２つの金属板３０１，３０２は、脚部３２０の両端部３２１，３２２およびシールブロック２００のｘ軸方向両脇において接続部３０３〜３０６により接続される（図４〜図６参照）。
【００４５】
また、ｚ軸正方向側に設けられる接続部３０３，３０４および金属板３０１，３０２によって嵌合孔３１０が形成される。この嵌合孔３１０にシールブロック２００の突出部２５０を嵌め込むことて、組み付け時の位置決めが容易となる（図１０：第３工程参照）。
【００４６】
また、板ばね３００はｘ軸方向中点である点Ａ'を湾曲中心とし、ｙ軸正方向を凸として湾曲する。点Ａ'はＩＩ−ＩＩ直線上に位置し、この点Ａ'に対し対称に変形する。板ばね３００のｘ軸方向中央部３１０はシールブロック２００にまたがり、点Ａ'においてシールブロック２００の接点Ａと点接触する。組み付け時には両接点Ａ，Ａ'は一致する。
【００４７】
一方、中央部３１０からｘ軸両側かつｙ軸負方向側に延在する脚部３２０は、ｙ軸負方向に延在して第１、第２サイドプレート１５０，１６０に嵌め込まれる。脚部３２０の両端部３２１，３２２におけるｘ軸方向内側の点Ｂ'，Ｃ'において第１、第２サイドプレート１５０，１６０の接点Ｂ，Ｃと点接触する。
【００４８】
［アッセンブリ工程］
（第１工程：図８）
第１工程においては、駆動軸１１０、従動軸１２０，第１、第２サイドプレート１５０，１６０をそれぞれ組み付け、第１サブアッセンブリ１００ａとする。
【００４９】
（第２工程：図９）
第２工程では、第１サブアッセンブリ１００ａにシールブロック２００を組み付け、第２サブアッセンブリ１００ｂとする。組み付け時にはシールブロック２００を第１、第２サイドプレート１５０，１６０の駆動側シール面１５８ａ，１６８ａおよび従動側シール面１５８ｂ，１６８ｂに押しつける。
【００５０】
その際、駆動側シール面１５８ａ，１６８ａおよび従動側シール面１５８ｂ，１６８ｂ上に設けられたリブ５００，６００を塑性変形させ、シールブロック２００のシール面２１０，２２０と確実に当接させて液密性を確保する。
【００５１】
（第３工程：図１０）
第３工程では、第２サブアッセンブリ１００ｂに板ばね３００をｙ軸正方向側から嵌合させ、ポンプ組立体１００を形成する。山型の板ばね３００をシールブロック２００にまたがらせ、接点Ａに当接させたまま第１、第２サイドプレート１５０，１６０に対し着脱可能に嵌合させる。
【００５２】
これにより脚部両端部３２１，３２２は、第１、第２サイドプレート１５０，１６０のｙ軸負方向面端部１５２，１６２に当接する。板ばね３００は弾性力により第１、第２サイドプレート１５０，１６０をｙ軸正方向に付勢し、接点Ａにおいてシールブロック２００のｙ軸正方向側を係止することで、ポンプ組立体１００の仮止めを行う。
【００５３】
また、シールブロック２００における各段部２５１，２５２はシールブロック２００のｚ軸両方向面に設けられている。同様に第１サイドプレート１５０の第１段部１５６は第１サイドプレートｚ軸正方向側面１５５に設けられ、第２サイドプレート１５０の第２段部１６６は第２サイドプレートｚ軸負方向側面１６５に設けられる。
【００５４】
ここで、シールブロック２００および第１、第２サイドプレート１５０，１６０は安価な焼結成形によることが望ましい。焼結成形する際は、焼結型をｚ軸方向からはめ込んで成形するが、各段部２５１，２５２および１５６，１６６がｚ軸方向端面に開口している。
【００５５】
したがって、焼結型に各段部２５１，２５２および１５６，１６６の型を設けることで、シールブロック２００および第１、第２サイドプレート１５０，１６０を焼結成形時に、各段部２５１，２５２および１５６，１６６を同時に形成し、低コストな焼結成形を用いつつ加工工数を低減し、コスト削減を図る。なお、第１、第２工程において駆動、従動軸１１０，１２０および各ギヤ１３０，１４０をアッセンブリ用のダミー工具としてもよい。
【００５６】
［リブ成形時の押圧方向と硬化位置の関係］
図１１はリブ５００成形時の押圧方向と硬化位置の関係を示す図である。Ａ−Ａ断面は駆動軸１１０と平行（ｚ軸方向）であり、Ｂ−Ｂ断面は各ギヤ１３０，１４０と平行（ｘ軸方向）である。リブ６００でも同様である。
【００５７】
なお、説明のため第１サイドプレート１５０表面と平行な曲面をｘ'、ｚ'軸で形成されるｘ'−ｚ'面とし、このｘ'−ｚ'面の法線であってリブ５００の突出方向をｙ'軸とする。また、本願ではリブ５００の幅は０．５ｍｍ、高さ０．２ｍｍとするが、数値は適宜変更してもよい。
【００５８】
リブ５００はＴ字型であって、第１サイドプレート１５０のシール面１５８の表面の肉を押圧することにより形成される。ｘ'軸方向延在部５１０はｚ'軸負方向側から押圧することにより形成され、ｚ'軸方向延在部５２０はｘ'軸方向両側から押圧することにより形成される。
【００５９】
（ｘ軸方向延在部）
比較例のように、シール面１５８表面の肉をシール面１５８に対し直角に押圧する場合、Ａ−Ａ断面ではリブｘ軸方向延在部５１０のｚ'軸負方向端部５１１に肉が偏り、密度が上昇して硬化してしまう。そのためｘ軸方向延在部５１０では、ｙ軸方向端部５１２においてｚ軸方向の密度分布が変化し、ｚ軸負方向に向かうにつれ密度および硬度が高くなる。
【００６０】
したがってｙ'軸正方向側からシールブロック２００を押圧する際、密度分布の存在によってリブｘ軸方向延在部５１０はｚ軸方向に対し均等に塑性変形せず、ｚ軸方向に均等に塑性変形しないためシール性が悪化する。
【００６１】
これに対し本願実施例１では、リブｘ軸方向延在部５１０を押圧成形する際、シール面１５８表面に対する角度３０°でｚ軸負方向に押圧する。このため、リブｘ軸方向延在部５１０のＡ−Ａ断面は台形となり、押圧方向が第１サイドプレート１５０の中心軸（駆動軸１１０、従動軸１２０の軸）方向に傾き、シール面１５８表面の肉も中心方向へ偏ることとなる。
【００６２】
これにより、リブｘ軸方向延在部５１０のｚ'軸負方向端部５１１に肉が偏ることがなく、ｙ軸方向端部５１２の密度・硬度分布は均一に保たれる。よって、ｙ'軸正方向側からシールブロック２００を押圧する際、リブｘ軸方向延在部５１０はｚ軸方向に対し均等に塑性変形し、シール性が向上する。
【００６３】
（ｚ軸方向延在部）
ｚ軸方向延在部５２０においても、基本的にｚ軸方向延在部５１０と同様である。ｚ軸方向延在部５２０においてはｘ'軸両側から押圧され、シール面１５８の肉は中心方向に偏る。したがって比較例ではシール面１５８表面の肉をシール面１５８に対し直角に押圧するためｙ軸方向端部５２２の中心部の密度・硬度が上昇してｙ軸方向端部５２２の塑性変形量が非均一となる。
【００６４】
本願ではシール面１５８表面に対する角度３０°でｚ軸負方向に押圧するため、リブｙ軸方向延在部５２０のＢ−Ｂ断面は台形となり、ｙ軸方向端部５２２の密度・硬度分布は均一となる。これにより塑性変形量も均一となってシール性が向上する。
【００６５】
図１２はリブ硬度−リブ塑性変形量、図１３はリブ硬度−リブ角度（シール面１５８，１６８に対する角度）の関係を示す図である。いずれも斜線部分を許容範囲とする。
【００６６】
図１２で示すように、硬度が大きすぎるとシール性確保のための要求塑性変形量が満たされず、図１３に示すようにリブ角度が大きすぎると図１１で示すように密度分布が生じてリブ硬度が高くなりすぎる。したがって、本願ではリブ角度を１５°以上６０°以下とする。実施例１では図１１に示すように３０°とした。
【００６７】
図１４は、リブ角度とリブ塑性変形量の関係を示す図である。リブ角度＝９０°（図１１の比較例）の場合と比べ、リブ角度＝３０°（本願実施例１）では小さい押し付け荷重で大きな塑性変形量が得られている。
【００６８】
［本願実施例の効果］
サイドプレート１５０，１６０のシール面１５８，１６８の肉を押圧して形成されるリブ５００，６００の断面を台形とした。したがって、押圧方向が第１、第２サイドプレート１５０の中心軸（駆動軸１１０、従動軸１２０の軸）方向に傾き、シール面１５８表面の肉も中心方向へ偏る。
【００６９】
これにより、リブ端部５１１，５２１に肉が偏ることがなく、ｙ軸方向端部５１２，５２２の密度・硬度分布は均一に保たれる。よって、ｙ'軸正方向側からシールブロック２００を押圧する際、リブ５００，６００はｚ軸方向に対し均等に塑性変形し、シール性を向上させることができる。
【００７０】
［他の実施例］
以上、本発明を実施するための最良の形態を実施例に基づいて説明してきたが、本発明の具体的な構成は各実施例に限定されるものではなく、発明の要旨を逸脱しない範囲の設計変更等があっても、本発明に含まれる。
【００７１】
例えば図１５（リブ５００のみ図示）に示すように、リブ５００，６００を押圧成形する際、目的のリブ硬度に合わせてシール面１５８，１６８表面に対する角度を１５°〜６０°の範囲で任意に設定してもよい。
【図面の簡単な説明】
【００７２】
【図１】実施例１におけるギヤポンプのｚ軸正方向正面図である。
【図２】実施例１におけるギヤポンプのｘ軸正方向方向側面図である。
【図３】図１のＩ−Ｉ断面図である。
【図４】実施例１におけるポンプ組立体の斜視図である。
【図５】実施例１におけるポンプ組立体のｙ軸正方向正面図である。
【図６】実施例１におけるポンプ組立体のｘ軸正方向正面図である。
【図７】実施例１における板ばね単体の斜視図である。
【図８】実施例１におけるギヤポンプの組立第１工程である。
【図９】実施例１におけるギヤポンプの組立第２工程である。
【図１０】実施例１におけるギヤポンプの組立第３工程である。
【図１１】リブ５００成形時の押圧方向と硬化位置の関係を示す図である。
【図１２】リブ硬度−リブ塑性変形量の関係を示す図である。
【図１３】リブ硬度−リブ角度（シール面１５８，１６８に対する角度）の関係を示す図である。
【図１４】リブ角度とリブ塑性変形量の関係を示す図である。
【図１５】他の実施例を示す図である。
【符号の説明】
【００７３】
１    ギヤポンプ
１０    ポンプハウジング
１１    駆動軸支持孔
１２    シリンダ孔
１２ａ    当接面
１２ｂ    内壁
１３    吐出ポート
２０    ハウジングカバー
２１    吸入ポート
１００        ポンプ組立体
１３０        駆動側ギヤ
１４０        従動側ギヤ
１３１，１４１    歯先
１５０，１６０    第１、第２サイドプレート
２００            シールブロック
２１０，２２０    駆動側、従動側シール面
３００            板ばね
５００，６００    駆動側、従動側リブ
５１０    ｘ軸方向延在部
５１１，５２１    リブ端部
５１１    ｚ軸負方向端部
５１２    ｙ軸方向端部
５２０    ｚ軸方向延在部
５２１    ｘ軸方向端部
５２２    ｙ軸方向端部
【図１】
2008215328.tif 000003
【図２】
2008215328.tif 000004
【図３】
2008215328.tif 000005
【図４】
2008215328.tif 000006
【図５】
2008215328.tif 000007
【図６】
2008215328.tif 000008
【図７】
2008215328.tif 000009
【図８】
2008215328.tif 000010
【図９】
2008215328.tif 000011
【図１０】
2008215328.tif 000012
【図１１】
2008215328.tif 000013
【図１２】
2008215328.tif 000014
【図１３】
2008215328.tif 000015
【図１４】
2008215328.tif 000016
【図１５】
2008215328.tif 000017